(57)【要約】【課題】チャンネル数が多くても、ザッピングにより、容易に興味のある番組を見つけることができる放送番組受信装置を提供すること【解決手段】放送されている複数の放送番組のうち、少なくとも一つを受信する放送番組受信装置において、放送されている放送番組に関する情報を取得する番組情報取得部と、取得した放送番組に関する情報に基づき、受信している放送番組と、放送されている放送番組各々との関連度を算出する関連度算出部と、操作入力に従い、放送されている複数の放送番組の中から受信する放送番組を選択する受信番組選択部と、受信番組選択部が選択した放送番組を受信する放送番組受信部とを具備し、受信番組選択部が選択する放送番組は、関連度算出部が算出した関連度が予め決められた条件を満たす放送番組であることを特徴とする。【選択図】図３
2010278649.tif 000002
【特許請求の範囲】
【請求項１】
放送されている複数の放送番組のうち、少なくとも一つを受信する放送番組受信装置において、
前記放送されている放送番組に関する情報を取得する番組情報取得部と、
前記取得した放送番組に関する情報に基づき、受信している前記放送番組と、前記放送されている放送番組各々との関連度を算出する関連度算出部と、
操作入力に従い、前記放送されている複数の放送番組の中から受信する放送番組を選択する受信番組選択部と、
前記受信番組選択部が選択した放送番組を受信する放送番組受信部と
を具備し、
前記受信番組選択部が選択する放送番組は、前記関連度算出部が算出した関連度が予め決められた条件を満たす放送番組であること
を特徴とする放送番組受信装置。
【請求項２】
前記受信番組選択部は、受信する放送番組が前記操作入力により指定されると、該指定された放送番組の関連度が前記予め決められた条件を満たしているか否かを判定し、満たしていないと判定したときは、受信する放送番組を変更しないことを特徴とする請求項１に記載の放送番組受信装置。
【請求項３】
前記放送されている放送番組には、予め決められた規則による順序が設定されており、
前記受信番組選択部は、予め決められた操作入力を受けると、前記関連度が前記予め決められた条件を満たしている放送番組であって、前記受信している放送番組から前記順序に従い辿ると最も近い放送番組を選択することを特徴とする請求項１に記載の放送番組受信装置。
【請求項４】
前記関連度が前記予め決められた条件を満たしている放送番組を報知する選局可報知部を具備することを特徴とする請求項１から請求項３のいずれかの項に記載の放送番組受信装置。
【請求項５】
放送されている放送番組各々に対応し、受信する放送番組を指定するキーボタンを具備し、
前記選局可報知部は、前記関連度が前記予め決められた条件を満たしている放送番組に対応する前記キーボタンを光らせることを特徴とする請求項４に記載の放送番組受信装置。
【請求項６】
前記関連度が前記予め決められた条件を満たしている放送番組各々が割り当てられ、受信する放送番組を指定するキーボタンを具備し、
前記選局可報知部は、前記キーボタン各々が具備し、当該キーボタンに割り当てられた放送番組を示す情報を表示する表示装置であることを特徴とする請求項４に記載の放送番組受信装置。
【請求項７】
前記関連度が前記予め決められた条件を満たしていない放送番組を受信する放送番組として、操作入力により指定されると、報知する選局不可報知部を具備することを特徴とする請求項１から請求項３のいずれかの項に記載の放送番組受信装置。
【請求項８】
放送されている複数の放送番組のうち、少なくとも一つを受信し、受信する放送番組受信装置における放送番組選択方法において、
前記放送番組受信装置が、前記放送されている放送番組に関する情報を取得する第１の過程と、
前記放送番組受信装置が、前記第１の過程にて取得した放送番組に関する情報に基づき、受信している前記放送番組と、前記放送されている放送番組各々との関連度を算出する第２の過程と、
前記放送番組受信装置が、操作入力に従い、前記放送されている複数の放送番組の中から受信する放送番組を選択する第３の過程と、
を備え、
前記第３の過程にて、前記放送番組受信装置が選択する放送番組は、前記第２の過程にて算出した関連度が予め決められた条件を満たす放送番組であること
を特徴とする放送番組選択方法。
【請求項９】
放送されている複数の放送番組のうち、少なくとも一つを受信する放送番組受信装置を無線通信にて遠隔操作する遠隔操作装置において、
前記放送されている放送番組に関する情報を取得する番組情報取得部と、
前記取得した放送番組に関する情報に基づき、前記放送番組受信装置が受信している前記放送番組と、前記放送されている放送番組各々との関連度を算出する関連度算出部と、
操作入力に従い、前記放送されている複数の放送番組の中から前記放送番組受信装置に受信を指示する放送番組を選択する受信番組選択部と、
前記受信番組選択部が選択した放送番組の受信を、前記放送番組受信装置に指示する受信番組指示部と
を具備し、
前記受信番組選択部が選択する放送番組は、前記関連度算出部が算出した関連度が予め決められた条件を満たす放送番組であること
を特徴とする遠隔操作装置。
【請求項１０】
放送されている複数の放送番組のうち、少なくとも一つを受信する放送番組受信装置を無線通信にて遠隔操作する遠隔操作装置における放送番組選択方法において、
前記遠隔操作装置が、前記放送されている放送番組に関する情報を取得する第１の過程と、
前記遠隔操作装置が、前記取得した放送番組に関する情報に基づき、前記放送番組受信装置が受信している前記放送番組と、前記放送されている放送番組各々との関連度を算出する第２の過程と、
前記遠隔操作装置が、操作入力に従い、前記放送されている複数の放送番組の中から前記放送番組受信装置に受信を指示する放送番組を選択する第３の過程と、
前記遠隔操作装置が、前記第３の過程にて選択した放送番組の受信を、前記放送番組受信装置に指示する第４の過程と
を有し、
前記第３の過程にて選択する放送番組は、前記第２の過程にて算出した関連度が予め決められた条件を満たす放送番組であること
を特徴とする放送番組選択方法。
【発明の詳細な説明】
【技術分野】
【０００１】
本発明は、放送番組受信装置、遠隔操作装置および放送番組選択方法に関する。
【背景技術】
【０００２】
従来のテレビジョン受像機の選局装置は、視聴者による選局の履歴から視聴者の好みの番組を判定し、判定した好みの番組情報をもとに選局制御または番組の告知を行っており、その好みの番組判定の際に、同じ曜日、時間毎に好みを判定している（例えば、特許文献１参照）。また、テレビジョン受像機の遠隔制御装置（リモコン）が表示部を備え、判定した好みの番組情報を、該表示部に表示しているものもある（例えば、特許文献２参照）
また、推薦番組告知装置は、番組データであるＥＰＧ（Electric Program Guide；電子番組表）データを受信し、受信したＥＰＧデータと操作入力履歴を参照して推薦する番組を、現在放送されている番組の中から決定し、推薦番組を表示してユーザに告知しているものもある（例えば、特許文献３、４参照）。
【先行技術文献】
【特許文献】
【０００３】
【特許文献１】特開２００５−０８６３２４号公報
【特許文献２】特開２００７−１３４９４７号公報
【特許文献３】特開２００７−１１６３６７号公報
【特許文献４】特開２０００−０１３７０８号公報
【発明の概要】
【発明が解決しようとする課題】
【０００４】
一方、視聴者によるテレビジョン受像機の視聴形態として、予め視聴する番組を決定せず、チャンネルを順次切り替える、あるいは、よく見るチャンネルを順次指定して実際に視聴してみて、放送内容に興味があったら、その番組を視聴し続けるザッピングと呼ばれる視聴形態がある。このザッピングによる視聴を行ったときに、デジタル放送などの普及により、テレビジョン放送の多チャンネル化が進んだため、興味のある番組になかなかたどり着けないという問題が出てきた。
上述の特許文献１〜４に示すような装置にあっては、ＥＰＧなどの番組情報に基づき、視聴する番組の選択を支援するものであり、上述のように、多チャンネル化されたためにザッピングで興味のある番組になかなかたどりつけないという問題を解消することはできない。
【０００５】
本発明は、このような事情に鑑みてなされたもので、その目的は、チャンネル数が多くても、ザッピングにより、容易に興味のある番組を見つけることができる放送番組受信装置、遠隔操作装置および放送番組選択方法を提供することにある。
【課題を解決するための手段】
【０００６】
（１）この発明は上述した課題を解決するためになされたもので、本発明の放送番組受信装置は、放送されている複数の放送番組のうち、少なくとも一つを受信する放送番組受信装置において、前記放送されている放送番組に関する情報を取得する番組情報取得部と、前記取得した放送番組に関する情報に基づき、受信している前記放送番組と、前記放送されている放送番組各々との関連度を算出する関連度算出部と、操作入力に従い、前記放送されている複数の放送番組の中から受信する放送番組を選択する受信番組選択部と、前記受信番組選択部が選択した放送番組を受信する放送番組受信部とを具備し、前記受信番組選択部が選択する放送番組は、前記関連度算出部が算出した関連度が予め決められた条件を満たす放送番組であることを特徴とする。
【０００７】
（２）また、本発明の放送番組受信装置は、上述の放送番組受信装置であって、前記受信番組選択部は、受信する放送番組が前記操作入力により指定されると、該指定された放送番組の関連度が前記予め決められた条件を満たしているか否かを判定し、満たしていないと判定したときは、受信する放送番組を変更しないことを特徴とする。
【０００８】
（３）また、本発明の放送番組受信装置は、上述の放送番組受信装置であって、前記放送されている放送番組には、予め決められた規則による順序が設定されており、前記受信番組選択部は、予め決められた操作入力を受けると、前記関連度が前記予め決められた条件を満たしている放送番組であって、前記受信している放送番組から前記順序に従い辿ると最も近い放送番組を選択することを特徴とする。
【０００９】
（４）また、本発明の放送番組受信装置は、上述のいずれかの放送番組受信装置であって、前記関連度が前記予め決められた条件を満たしている放送番組を報知する選局可報知部を具備することを特徴とする。
【００１０】
（５）また、本発明の放送番組受信装置は、上述のいずれかの放送番組受信装置であって、放送されている放送番組各々に対応し、受信する放送番組を指定するキーボタンを具備し、前記選局可報知部は、前記関連度が前記予め決められた条件を満たしている放送番組に対応する前記キーボタンを光らせることを特徴とする。
【００１１】
（６）また、本発明の放送番組受信装置は、上述の放送番組受信装置であって、前記関連度が前記予め決められた条件を満たしている放送番組各々が割り当てられ、受信する放送番組を指定するキーボタンを具備し、前記選局可報知部は、前記キーボタン各々が具備し、当該キーボタンに割り当てられた放送番組を示す情報を表示する表示装置であることを特徴とする。
【００１２】
（７）また、本発明の放送番組受信装置は、上述のいずれかの放送番組受信装置であって、前記関連度が前記予め決められた条件を満たしていない放送番組を受信する放送番組として、操作入力により指定されると、報知する選局不可報知部を具備することを特徴とする。
【００１３】
（８）また、本発明の放送番組選択方法は、放送されている複数の放送番組のうち、少なくとも一つを受信し、受信する放送番組受信装置における放送番組選択方法において、前記放送番組受信装置が、前記放送されている放送番組に関する情報を取得する第１の過程と、前記放送番組受信装置が、前記第１の過程にて取得した放送番組に関する情報に基づき、受信している前記放送番組と、前記放送されている放送番組各々との関連度を算出する第２の過程と、前記放送番組受信装置が、操作入力に従い、前記放送されている複数の放送番組の中から受信する放送番組を選択する第３の過程と、を備え、前記第３の過程にて、前記放送番組受信装置が選択する放送番組は、前記第２の過程にて算出した関連度が予め決められた条件を満たす放送番組であることを特徴とする。
【００１４】
（９）また、本発明の遠隔操作装置は、放送されている複数の放送番組のうち、少なくとも一つを受信する放送番組受信装置を無線通信にて遠隔操作する遠隔操作装置において、前記放送されている放送番組に関する情報を取得する番組情報取得部と、前記取得した放送番組に関する情報に基づき、前記放送番組受信装置が受信している前記放送番組と、前記放送されている放送番組各々との関連度を算出する関連度算出部と、操作入力に従い、前記放送されている複数の放送番組の中から前記放送番組受信装置に受信を指示する放送番組を選択する受信番組選択部と、前記受信番組選択部が選択した放送番組の受信を、前記放送番組受信装置に指示する受信番組指示部とを具備し、前記受信番組選択部が選択する放送番組は、前記関連度算出部が算出した関連度が予め決められた条件を満たす放送番組であることを特徴とする。
【００１５】
（１０）また、本発明の放送番組選択方法は、放送されている複数の放送番組のうち、少なくとも一つを受信する放送番組受信装置を無線通信にて遠隔操作する遠隔操作装置における放送番組選択方法において、前記遠隔操作装置が、前記放送されている放送番組に関する情報を取得する第１の過程と、前記遠隔操作装置が、前記取得した放送番組に関する情報に基づき、前記放送番組受信装置が受信している前記放送番組と、前記放送されている放送番組各々との関連度を算出する第２の過程と、前記遠隔操作装置が、操作入力に従い、前記放送されている複数の放送番組の中から前記放送番組受信装置に受信を指示する放送番組を選択する第３の過程と、前記遠隔操作装置が、前記第３の過程にて選択した放送番組の受信を、前記放送番組受信装置に指示する第４の過程とを有し、前記第３の過程にて選択する放送番組は、前記第２の過程にて算出した関連度が予め決められた条件を満たす放送番組であることを特徴とする。
【発明の効果】
【００１６】
この発明によれば、チャンネル数が多くても、ザッピングにより、容易に興味のある番組を見つけることができる。
【図面の簡単な説明】
【００１７】
【図１】この発明の第１の実施形態による放送番組受信装置であるテレビジョン受像機１０の外観を示す図である。
【図２】同実施形態におけるテレビジョン受像機１０の構成を示す概略ブロック図である。
【図３】同実施形態における制御部１００とＲＯＭ１０２とＲＡＭ１０３とにより実現される機能ブロックの概略構成を示す図である。
【図４】同実施形態における１９時から２２時までの放送番組の構成例を示す図である。
【図５】同実施形態における番組情報記憶部１２３が記憶する選局テーブルの例を示す図である。
【図６】同実施形態におけるテレビジョン受像機１０の動作を説明するフローチャートである。
【図７】同実施形態におけるテレビジョン受像機１０の動作を説明するフローチャートである。
【図８】この発明の第２の実施形態による放送番組受信装置である携帯電話装置１０ａの外観を示す図である。
【図９】同実施形態における携帯電話装置１０ａの構成を示す概略ブロック図である。
【図１０】同実施形態における制御部１００ａとＲＯＭ１０２ａとＲＡＭ１０３とにより実現される機能ブロックの概略構成を示す図である。
【図１１】同実施形態における携帯電話装置１０ａの動作を説明するフローチャートである。
【図１２】同実施形態における携帯電話装置１０ａの動作を説明するフローチャートである。
【図１３】同実施形態の変形例における数字ボタン２２４のディスプレイへのチャンネル番号の表示例を示す図である。
【図１４】この発明の第３の実施形態による遠隔制御装置１０ｂの構成を示す概略ブロック図である。
【図１５】同実施形態における制御部１００ｂとＲＯＭ１０２ｂとＲＡＭ１０３とにより実現される機能ブロックの概略構成を示す図である。
【図１６】同実施形態における遠隔制御装置１０ｂの動作を説明するフローチャートである。
【図１７】同実施形態における遠隔制御装置１０ｂの動作を説明するフローチャートである。
【図１８】同実施形態の変形例における選択可能なチャンネルの表示例を示す図である。
【発明を実施するための形態】
【００１８】
［第１の実施形態］
以下、図面を参照して、本発明の第１の実施形態について説明する。図１は、この発明の一実施形態による放送番組受信装置であるテレビジョン受像機１０の外観を示す図である。図１に示すように、テレビジョン受像機１０は、液晶パネルなどの表示装置１０７、スピーカー１０９、Ｉｒ（Infrared rays）通信部１０５、チャンネルや音量などを指定するボタンである操作入力部１１１（不図示）を有する。テレビジョン受像機１０は、地上波デジタル放送、ＢＳ（Broadcast Satellite；放送衛星）デジタル放送、ＣＳ（Communication Satellite；通信衛星）デジタル放送、デジタルケーブルテレビなどのデジタルテレビ放送を受信し、その番組の映像を表示装置１０７に表示し、その番組の音声をスピーカー１０９から出力する。また、テレビジョン受像機１０が受信するチャンネルの指定は、操作入力部１１１あるいはリモートコントローラ１１を視聴者が操作することで行う。なお、操作入力部１１１およびリモートコントローラ１１は、本発明によるザッピングの開始と終了を指示するザッピング選局ボタン、チャンネル番号順にチャンネルを変更するチャンネル送りボタン、チャンネル番号を直接指定するチャンネル選局ボタンを備える。
【００１９】
図２は、本実施形態におけるテレビジョン受像機１０の構成を示す概略ブロック図である。テレビジョン受像機１０は、制御部１００、ＴＶチューナ部１０１、ＲＯＭ（Read Only Memory）１０２、ＲＡＭ（Random Access Memory）１０３、ＬＡＮ（Local Area Network）制御部１０４、Ｉｒ通信部１０５、表示処理部１０６、表示装置１０７、音声処理部１０８、スピーカー１０９、入力処理部１１０、操作入力部１１１を備える。
【００２０】
制御部１００は、ＣＰＵ（Central Processing Unit）を有し、テレビジョン受像機１０全体を制御する。ＴＶチューナ部１０１（放送番組受信部）は、アンテナに接続され、地上波デジタル放送、ＢＳデジタル放送、ＣＳデジタル放送などの放送波の信号をアンテナから受けて、該信号の中から、制御部１００から指定されたチャンネルの信号を受信し、受信したデジタル信号を復調して映像の信号および音声の信号を出力する。ＴＶチューナ部１０１は、復調した信号のうち、映像の信号を表示処理部１０６に出力し、音声の信号を音声処理部１０８に出力する。これにより、ＴＶチューナ部１０１は、放送されている複数の放送番組のうち、少なくとも一つ、すなわち制御部１００が選択した放送番組の映像の信号および音声の信号を受信、復調し、該放送番組の映像を表示装置１０７に表示させ、該放送番組の音声をスピーカー１０９に出力させる。ＲＯＭ１０２は、制御部１００が読み込んで実行するプログラム、および、プログラムを実行する際に用いるデータを記憶する。ＲＡＭ１０３は、制御部１００がプログラムを実行する際にワーキングメモリとして用いられる。
【００２１】
ＬＡＮ制御部１０４は、イーサネット（登録商標）などのローカルエリアネットワークに接続し、該ローカルエリアネットワークに接続された他の装置および該ローカルエリアネットワークが接続されたインターネットなどに接続された他の装置と通信を行う。Ｉｒ通信部１０５は、リモートコントローラ１１が送信した赤外線信号を受信する。表示処理部１０６は、制御部１００の制御およびＴＶチューナ部１０１からの信号に従い、表示装置１０７に表示させる映像信号を生成する。表示装置１０７は、図１にて説明したように、液晶パネルなどの表示装置であり、表示処理部１０６が生成した映像信号に基づき、映像を表示する。音声処理部１０８は、制御部１００の制御およびＴＶチューナ部１０１からの信号に従い、スピーカー１０９に出力させる音声信号を生成する。スピーカー１０９は、音声処理部１０８が生成した音声信号に基づき、音声を出力する。入力処理部１１０は、操作入力部１１１のボタンが押されると、該ボタンに対応する信号を制御部１００に出力する。
【００２２】
図３は、制御部１００とＲＯＭ１０２とＲＡＭ１０３とにより実現される機能ブロックの概略構成を示す図である。制御部１００とＲＯＭ１０２とＲＡＭ１０３とは、制御部１００が、ＲＯＭ１０２が記憶しているプログラムを読出し、ＲＡＭ１０３をワーキングメモリとして、読み出したプログラムを実行することで、図３の破線Ｌ１で囲われている各機能ブロック（番組情報取得部１２１、関連度算出部１２２、番組情報記憶部１２３、放送番組選択部１２４）を実現する。
【００２３】
番組情報取得部１２１は、放送されている放送番組に関する情報を取得する。番組情報取得部１２１は、取得した放送番組に関する情報を、番組情報記憶部１２３に記憶させる。本実施形態において、番組情報取得部１２１は、放送波に多重されている電子番組表用のデータをＴＶチューナ部１０１から取得するが、インターネットに接続されたＷＥＢサーバなどから取得した電子番組表用のデータをＬＡＮ制御部１０４から取得してもよい。
【００２４】
関連度算出部１２２は、番組情報取得部１２１が取得した放送番組に関する情報に基づき、受信している放送番組と、放送されている放送番組各々との関連度を算出する。関連度算出部１２２は、関連度の算出を、番組情報取得部１２１が取得した放送番組に関する情報に基づき行う。例えば、放送番組に関する情報で設定されている番組概要の説明文から予め決められた規則で抽出された単語のうち、受信している放送番組のものと一致している数を関連度として算出する。関連度算出部１２２は、このようにして、算出した関連度を番組情報記憶部１２３に記憶させる。
【００２５】
番組情報記憶部１２３は、番組情報取得部１２１が取得した放送番組に関する情報と、関連度算出部１２２が算出した関連度とを記憶する記憶部である。番組情報記憶部１２３の記憶内容については、後述する。受信番組選択部１２４は、操作入力に従い、放送されている複数の放送番組の中から受信する放送番組を選択する。このとき、受信番組選択部１２４が選択する放送番組は、関連度算出部１２２が算出した関連度が予め決められた条件を満たす放送番組に限定されている。
【００２６】
例えば、受信番組選択部１２４は、受信する放送番組が操作入力により指定される、すなわち直接チャンネルが指定されると、該指定された放送番組の関連度が予め決められた条件を満たしているか否かを判定し、満たしていないと判定したときは、受信する放送番組を変更しない。また、受信番組選択部１２４は、予め決められた操作入力（ここでは、チャンネル送りボタンの押下）を受けると、関連度が予め決められた条件を満たしている放送番組であって、受信している放送番組から予め決められた規則による順序（ここでは、チャンネル番号順）に従い辿ると最も近い放送番組を選択する。
【００２７】
ここで、予め決められた条件とは、例えば、関連度が予め設定された閾値を超えることでもよいし、放送されている放送番組のなかで、関連度が予め設定された順位以内であることでもよい。なお、受信番組選択部１２４は、操作入力部１１１への操作に基づき、入力処理部１１０が出力する信号を受けること、あるいは、リモートコントローラ１１への操作に基づき、Ｉｒ通信部１０５が出力する信号を受けることで、操作入力を検出する。
【００２８】
図４は、１９時から２２時までの放送番組の構成例を示す図である。図４に示す構成例では、１９：００から１９：３０の間には、２番のチャンネル（２ｃｈ）では「７時のニュース」が放送され、４番のチャンネル（４ｃｈ）では「海外アニメ」が放送され、６番のチャンネル（６ｃｈ）では「クラブワールドカップサッカー「マンデシターｖｓ大崎」」が放送され、７番のチャンネル（７ｃｈ）では「特番」が放送され、８番のチャンネル（８ｃｈ）では「全国一斉！日本人雑学テスト２時間スペシャル」が放送され、１０番のチャンネル（１０ｃｈ）では「いきなり！やっちまった」が放送され、１２番のチャンネル（１２ｃｈ）では「アニメモンスター」が放送されている。
【００２９】
図５は、番組情報記憶部１２３が記憶する選局テーブルの例を示す図である。図５に示す例は、放送されている放送番組の構成が図４に例示した構成となっている場合に、１９時に生成された選局テーブルの例である。選局テーブルは、チャンネル毎に行が設けられ、これらの行はチャンネル番号順に並んでいる。また、各行は、例えば、図５に示す１行目のようにチャンネルの項目「２ｃｈ」、番組名の項目「７時のニュース」、ジャンルの項目「ニュース、報道、総合」、関連度の項目「０」、お勧めフラグ「０」、受信フラグ「１」、基準局フラグ「０」を有する。
【００３０】
チャンネルは、チャンネルを識別するチャンネル番号を格納する項目である。番組名は、放送番組の番組名（タイトル）を格納する項目である。ジャンルは、電子番組表用のデータに含まれていた放送番組の番組概要の説明文中から抽出された単語である。これら、チャンネル、番組名、ジャンルは、番組情報取得部１２１がＴＶチューナ部１０１から放送番組に関する情報として取得し、番組情報記憶部１２３に記憶させたものである。また、基準局フラグについても、番組情報取得部１２１が、受信しているチャンネルをＴＶチューナ部１０１から取得して設定する。
【００３１】
関連度は、受信している放送番組のチャンネルと当該チャンネルとのジャンルに格納されている単語の一致する数を算出して格納したものである。お勧めフラグは、関連度の項目が、予め設定された条件、ここでは関連度の大きさが３番目までであることという条件を満たしているときに「１」が設定されるフラグである。なお、基準局フラグに「１」が設定されているチャンネル、すなわち、受信している放送番組のチャンネルについても、お勧めフラグには「１」が設定される。これら、関連度とお勧めフラグとは、関連度算出部１２２が番組情報記憶部１２３に記憶させる。また、受信フラグは、ユーザによるザッピング操作時に、受信中のチャンネルに対して放送番組選択部１２４が「１」を設定するフラグである。
【００３２】
図６、図７は、本実施形態におけるテレビジョン受像機１０の動作を説明するフローチャートである。テレビジョン受像機１０の電源が入れられると、まず、ＴＶチューナ部１０１が、放送波の受信を開始する。このとき、従来と同様に、操作入力部１１１あるいはリモートコントローラ１１のチャンネル送りボタン、チャンネル選局ボタンへの操作に従ったチャンネル（放送番組）を、ＴＶチューナ部１０１は受信する。次に、放送番組選択部１２４は、操作入力部１１１あるいはリモートコントローラ１１のザッピング選局ボタンが押されたことを示すザッピング選局信号を、入力処理部１１０あるいはＩｒ通信部１０５から受けたか否かを判定し（Ｓａ２）、受けていないと判定したときは（Ｓａ２−Ｎｏ）、受けるまで当該ステップを繰り返す。
【００３３】
一方、受けたと判定したときは（Ｓａ２−Ｙｅｓ）、ステップＳａ３に遷移して放送番組選択部１２４からの指示を受けて番組情報取得部１２１が、ＴＶチューナ部１０１から放送波に多重されている電子番組表用のデータを取得する。なお、電子番組表用のデータは、インターネットに接続されたＷＥＢサーバなどから、ＬＡＮ制御部１０４が取得してもよい。番組情報取得部１２１は、取得した電子番組表用のデータから、そのときに放送中の放送番組の番組概要の説明文から、予め番組情報取得部１２１が記憶している単語と一致する単語を、ジャンル情報として抽出する。番組情報取得部１２１は、番組情報記憶部１２３の選局テーブルに、そのときに放送中の放送番組のチャンネル、番組名、ジャンル情報を記憶させるとともに、このとき受信中のチャンネルの受信フラグと基準局フラグとに「１」を設定する（Ｓａ４）。
【００３４】
さらに、番組情報取得部１２１は、チャンネルと、ジャンル情報とを、関連度算出部１２２に出力する。次に、関連度算出部１２２は、番組情報取得部１２１から受けたジャンルに基づき、関連度を算出する（Ｓａ５）。関連度算出部１２２は、算出した関連度を、番組情報記憶部１２３の選局テーブルに記憶させるとともに、お勧めフラグの設定も行い、選局テーブルを作成する（Ｓａ６）。
【００３５】
放送番組選択部１２４は、操作入力部１１１あるいはリモートコントローラ１１のいずれかのボタンが押されたことを示す信号を、入力処理部１１０あるいはＩｒ通信部１０５から受けたか否かを判定する（Ｓａ７）。放送番組選択部１２４は、受けていないと判定したときは（Ｓａ７）、さらに、チャンネル変更操作がされてから予め設定された時間が経過しているか否かを判定する（Ｓａ８）。ステップＳａ８にて経過していないと判定したときは（Ｓａ８−Ｎｏ）、ステップＳａ７に遷移し、経過していると判定したときは、ザッピングを行った番組を継続して視聴したいと判断し（Ｓａ８−Ｙｅｓ）、ステップＳａ２に遷移する。
【００３６】
一方、ステップＳａ７にて、信号を受けたと判定したときは（Ｓａ７−Ｙｅｓ）、図７のステップＳａ９に遷移する。ステップＳａ９では、放送番組選択部１２４は、受けた信号がチャンネル選局信号か否かを判定する。チャンネル選局信号であると判定したときは（Ｓａ９−Ｙｅｓ）、放送番組選択部１２４は、選局テーブルを参照し、チャンネル選局信号で指定されたチャネルのお勧めフラグが「１」に設定されているか否かを判定する（Ｓａ１０）。「１」に設定されていないと判定したときは（Ｓａ１０−Ｎｏ）、図６のステップＳａ７に遷移する。一方、ステップＳａ１０にて、「１」に設定されていると判定したときは（Ｓａ１０−Ｙｅｓ）、ステップＳａ１１に遷移して、放送番組選択部１２４は、チャンネル選局信号で指定されたチャネルの受信をＴＶチューナ部１０１に指示する。さらに、放送番組選択部１２４は、選局テーブルの受信フラグを、チャンネル選局信号で指定されたチャネルについては「１」を設定し、それ以外のチャンネルについては「０」を設定し（Ｓａ１２）、図６のステップＳａ７に遷移する。
【００３７】
また、ステップＳａ９にて、チャンネル選局信号ではないと判定したときは（Ｓａ９−Ｎｏ）、ステップＳａ１３に遷移して、放送番組選択部１２４は、受けた信号がチャンネル送り信号か否かを判定する。チャンネル送り信号であると判定したときは（Ｓａ１３−Ｙｅｓ）、放送番組選択部１２４は、選局テーブルを参照し、受信フラグが設定されているチャンネルからチャンネル番号順にお勧めフラグを確認し、最初に「１」に設定されているチャンネルの受信をＴＶチューナ部１０１に指示する（Ｓａ１４）。さらに、放送番組選択部１２４は、選局テーブルの受信フラグを、チャンネル選局信号で指定されたチャネルについては「１」を設定し、それ以外のチャンネルについては「０」を設定し（Ｓａ１５）、図６のステップＳａ７に遷移する。
【００３８】
また、ステップＳａ１３にて、チャンネル送り信号ではないと判定したときは（Ｓａ１３−Ｎｏ）、ステップＳａ１６に遷移して、放送番組選択部１２４は、受けた信号がザッピング選局信号か否かを判定する。ザッピング選局信号であると判定したときは（Ｓａ１６−Ｙｅｓ）、放送番組選択部１２４は、選局テーブルを参照し、基準局フラグが設定されているチャンネルの受信をＴＶチューナ部１０１に指示し（Ｓａ１７）、図６のステップＳａ２に遷移する。また、ステップＳａ１６にて、ザッピング選局信号でないと判定したときは（Ｓａ１６−Ｎｏ）、図６のステップＳａ７に遷移する。
【００３９】
このように、放送番組選択部１２４は、ザッピング選局信号が押された後に、直接チャンネルを指定するチャンネル選局ボタンが押されたときは、お勧めフラグが設定されているときのみ、指定されたチャネルに変更し、チャンネル送りボタンが押されたときは、お勧めフラグが設定されているチャンネルに変更するので、ザッピング選局信号が押されたときに受信中の放送番組と関連度の高いチャンネルのみを受信するようになる。このため、チャンネル数が多くても、ザッピングにより、容易に興味のある番組を見つけることができる。
【００４０】
なお、本実施形態において、チャンネル送りボタンについては、順方向（チャンネル番号が大きくなる方向）のもののみを備えるとして説明したが、逆方向（チャンネル番号が小さくなる方向）のものも備えていてもよい。
また、本実施形態において、関連度は番組概要の説明文中から抽出した単語の数に基づき算出したが、その他の項目、例えば、出演者名などを用いて算出してもよい。
【００４１】
［第２の実施形態］
以下、図面を参照して、本発明の第２の実施形態について説明する。図８は、この発明の第２の実施形態による放送番組受信装置である携帯電話装置１０ａの外観を示す図である。本実施形態における携帯電話装置１０ａは、折り畳み型（クラムシェルタイプ）の携帯電話装置である。図８（ａ）は、開いた状態での内側を示し、図８（ｂ）は、開いた状態での外側を示す。図８（ａ）に示すように、携帯電話装置１０ａは、開いた状態での内側に、スピーカー１０９ａ、メイン表示部１０７ａ、マイク２０７、カーソルボタン２２１、ＴＶ（Tele-Vision；テレビジョン）アプリボタン２２２、決定ボタン２２３、数字ボタン２２４、ザッピング選局ボタン２２５を有する。
【００４２】
スピーカー１０９ａは、音声通話時、テレビ視聴時に音声を出力する。メイン表示部１０７ａは、液晶パネル、または、有機ＥＬ（Ｅｌｅｃｔｒｏ−Ｌｕｍｉｎｅｓｃｅｎｃｅ）パネルを備え、各種の文字や画像を表時する。マイク２０７は、音声通話時に、収音に用いられる。カーソルボタン２２１、ＴＶアプリボタン２２２、決定ボタン２２３、数字ボタン２２４、ザッピング選局ボタン２２５は、後述する操作入力部１１１ａであり、携帯電話装置１０ａへの操作入力に用いられる。
【００４３】
また、図８（ｂ）に示すように、携帯電話装置１０ａは、開いた状態での外側に、ＴＶ用アンテナ２０１、サブ表示部２０６、カメラ２０９、ＬＥＤ（Ｌｉｇｈｔ  Ｅｍｉｔｔｉｎｇ  Ｄｉｏｄｅ）ライト２１１を有する。ＴＶ用アンテナ２０１は、テレビジョン放送の受信のためのアンテナである。サブ表示部２０６は、液晶パネル、または、有機ＥＬパネルを備え、携帯電話装置１０ａを閉じた状態のときに、電話やメールの着信、時刻などを通知する文字や画像の表示に用いられる。カメラ２０９は、被写体を撮影して、画像データを生成するカメラである。ＬＥＤライト２１１は、カメラ２０９が撮影する被写体の照明に用いられる。
【００４４】
図９は、本実施形態における携帯電話装置１０ａの構成を示す概略ブロック図である。携帯電話装置１０ａは、制御部１００ａ、ＴＶチューナ部１０１ａ、ＴＶ用アンテナ２０１、ＲＯＭ１０２ａ、ＲＡＭ１０３、振動部２０２、携帯網通信部２０３、携帯網用アンテナ２０４、表示処理部１０６ａ、メイン表示部１０７ａ、サブ表示部２０６、音声処理部１０８ａ、スピーカー１０９ａ、マイク２０７、入力処理部１１０ａ、操作入力部１１１ａ、撮像処理部２１０、カメラ２０９、ＬＥＤライト２１１を備える。
【００４５】
制御部１００ａは、ＣＰＵを有し、携帯電話装置１０ａ全体を制御する。ＴＶチューナ部１０１ａ（放送番組受信部）は、地上波デジタル放送の放送波の信号をＴＶ用アンテナ２０１から受けて、該信号の中から、制御部１００ａから指定されたチャンネルの信号を受信し、受信したデジタル信号を復調して映像の信号および音声の信号を出力する。ＴＶチューナ部１０１ａは、復調した信号のうち、映像の信号を表示処理部１０６ａに出力し、音声の信号を音声処理部１０８ａに出力する。これにより、ＴＶチューナ部１０１ａは、放送されている複数の放送番組のうち、少なくとも一つ、すなわち制御部１００ａが選択した放送番組の映像の信号および音声の信号を受信、復調し、該放送番組の映像をメイン表示部１０７ａに表示させ、該放送番組の音声をスピーカー１０９ａに出力させる。ＲＯＭ１０２ａは、制御部１００ａが読み込んで実行するプログラム、および、プログラムを実行する際に用いるデータを記憶する。ＲＡＭ１０３は、制御部１００ａがプログラムを実行する際にワーキングメモリとして用いられる。
【００４６】
振動部２０２は、偏芯モータを有し、携帯電話装置１０ａの筺体を振動させる。携帯網通信部２０３は、基地局との間で、携帯網用アンテナ２０４を介して電波の送受信を行い、音声、画像、データ等の通信を行う。通信方式としては、ＰＤＣ(Personal Digital Cellular)、ＧＳＭ(Global System for Mobile Communication)、ＣＤＭＡ(Code Division Multiple Access)、ＷＣＤＭＡ(Wideband CDMA)等がある。本発明では、どのような通信方式を用いても良い。携帯網通信制御部３９は、基地局との間で通信する信号の制御を行う。表示処理部１０６ａは、制御部１００ａの制御およびＴＶチューナ部１０１から信号に従い、メイン表示部１０７ａ、サブ表示部２０６に表示させる映像信号を生成する。
【００４７】
音声処理部１０８ａは、制御部１００ａの制御およびＴＶチューナ部１０１から信号に従い、スピーカー１０９ａに出力させる音声信号を生成する。また、音声処理部１０８ａは、マイク２０７が収音した音声の信号を生成し、制御部１００ａに出力する。入力処理部１１０は、操作入力部１１１ａのボタンが押されると、該ボタンに対応する信号を制御部１００ａに出力する。操作入力部１１１ａは、携帯電話装置１０ａへの操作入力に用いられるボタンであり、図８（ａ）に示したように、チャンネル送りを行うカーソルボタン(チャンネル送りボタン)２２１、ＴＶアプリボタン２２２、決定ボタン２２３、チャンネル選局を行う数字ボタン２２４、ザッピング選局ボタン２２５を有する。
【００４８】
操作部照明２０８は、操作入力部１１１ａを構成するボタン各々に内蔵されているＬＥＤであり、発した光は、各ボタンの透明部を通して、外部から見ることができる。カメラ撮像処理部２１０は、カメラ２００が生成した画像データを画像処理した結果に基づき、カメラ２００の露出などを制御したり、ＬＥＤライト２１１の点灯を行ったりする。
【００４９】
図１０は、制御部１００ａとＲＯＭ１０２ａとＲＡＭ１０３とにより実現される機能ブロックの概略構成を示す図である。制御部１００ａとＲＯＭ１０２ａとＲＡＭ１０３とは、制御部１００ａが、ＲＯＭ１０２ａが記憶しているプログラムを読出し、ＲＡＭ１０３をワーキングメモリとして、読み出したプログラムを実行することで、図１０の破線Ｌ２で囲われている各機能ブロック（番組情報取得部１２１、関連度算出部１２２、番組情報記憶部１２３、放送番組選択部１２４、選択可能番組通知部（選局可報知部）１２５ａ）を実現する。同図において図３の各部に対応する部分には同一の符号（１２１〜１２３）を付け、その説明を省略する。なお、本実施形態において、番組情報取得部１２１は、放送波に多重されている電子番組表用のデータをＴＶチューナ部１０１から取得するが、携帯網に接続されたＷＥＢサーバなどから取得した電子番組表用のデータを携帯網通信部２０３から取得してもよい。
【００５０】
放送番組選択部（選局不可報知部）１２４ａは、図３における放送番組選択部１２４の機能に加えて、関連度が予め決められた条件を満たしていない放送番組を受信する放送番組として、操作入力により指定されると、振動部２０２により筺体を振動させて、受信していた放送番組との関連度が低く、選択できないチャンネルであることをユーザに報知する。また、選択可能番組通知部１２５ａは、選局テーブルを参照して、関連度が予め決められた条件を満たしている放送番組に対応する数字ボタン２２４の操作部照明２０８を点灯させる。
【００５１】
図１１、図１２は、本実施形態における携帯電話装置１０ａの動作を説明するフローチャートである。図１１、図１２のフローチャートは、ＴＶアプリボタン２２２が押されたことを検出すると開始する処理のフローチャートである。同図において図６、図７の各部に対応する部分には同一の符号（Ｓａ１〜Ｓａ１７）を付け、その説明を省略する。図１１のフローチャートは、ステップＳａ６とステップＳａ７との間にステップＳｂ１がある点が、図６とは異なる。ステップＳｂ１では、選択可能番組通知部１２５ａが、選局テーブルを参照して、関連度が予め決められた条件を満たしている放送番組、すなわちお勧めフラグに「１」が設定されているチャンネルに対応する数字ボタン２２４の操作部照明２０８を点灯させる。また、図１２のフローチャートは、ステップＳａ１０にて、お勧めフラグが「１」になっているか否かを判定した結果、「１」になっていないと判定したとき（Ｓａ１０−Ｎｏ）、直接ステップＳａ７に遷移せずに、ステップＳｂ２を経てからステップＳａ７に遷移する点が、図７とは異なる。ステップＳｂ２では、放送番組選択部１２４ａが、振動部２０２により筺体を振動させる。
【００５２】
このように、放送番組選択部１２４ａは、ザッピング選局信号が押された後に、直接チャンネルを指定するチャンネル選局ボタンが押されたときは、お勧めフラグが設定されているときのみ、指定されたチャネルに変更し、チャンネル送りボタンが押されたときは、お勧めフラグが設定されているチャンネルに変更するので、ザッピング選局信号が押されたときに受信中の放送番組と関連度の高いチャンネルのみを受信するようになる。このため、チャンネル数が多くても、ザッピングにより、容易に興味のある番組を見つけることができる。
【００５３】
また、ステップＳｂ１にて、選択可能番組通知部１２５ａが、選局テーブルを参照して、お勧めフラグに「１」が設定されているチャンネルに対応する数字ボタン２２４の操作部照明２０８を点灯させるので、ユーザは、事前に選局可能なチャンネルを把握することができる。
また、ステップＳｂ２にて、放送番組選択部１２４ａが、振動部２０２により筺体を振動させるので、ユーザは、選局不可能なチャンネルを数字ボタン２２４で指定したときに、メイン表示部１０７ａの表示内容に変化がなくても、選局不可能なチャンネルを数字ボタン２２４で指定したことを把握できる。
【００５４】
なお、本実施形態において、チャンネル送りボタンについては、順方向（チャンネル番号が大きくなる方向）のもののみを備えるとして説明したが、逆方向（チャンネル番号が小さくなる方向）のものも備えていてもよい。
また、本実施形態において、関連度は番組概要の説明文中から抽出した単語の数に基づき算出したが、その他の項目、例えば、出演者名などを用いて算出してもよい。
【００５５】
また、操作部照明２０８に替えて、各数字ボタン２２４に液晶パネルなどディスプレイを備えており、選択可能番組通知部１２５ａは、関連度が前記予め決められた条件を満たしている放送番組、すなわち選局可能な放送番組を数字ボタン２２４に割り当て、割当てた放送番組を示す情報（例えばチャンネル番号）を数字ボタン２２４のディスプレイに表示させるようにしてもよい。図１３は、同実施形態の変形例における数字ボタン２２４のディスプレイへのチャンネル番号の表示例を示す図である。
【００５６】
図１３（ａ）では、お勧めフラグが設定され、選局可能なチャンネル番号が１〜１２のときの表示例である。１２個の数字ボタン２２４各々のディスプレイは、割当てられたチャンネル番号である１から１２を表示している。図１３（ｂ）では、お勧めフラグが設定され、選局可能なチャンネル番号が２、４、６、７、８、１０、１２のときの表示例である。１２個の数字ボタン２２４のうち、７個の数字ボタン２２４各々のディスプレイは、割当てられたチャンネル番号である２、４、６、７、８、１０、１２を表示している。図１３（ｃ）では、お勧めフラグが設定され、選局可能なチャンネル番号が７、８、１０のときの表示例である。１２個の数字ボタン２２４のうち、３個の数字ボタン２２４各々のディスプレイは、割当てられたチャンネル番号である７、８、１０を表示している。
【００５７】
［第３の実施形態］
以下、図面を参照して、本発明の第３の実施形態について説明する。本実施形態は、テレビジョン受像機１２を遠隔制御する遠隔制御装置１０ｂである。図１４は、本実施形態における遠隔制御装置１０ｂの構成を示す概略ブロック図である。図１４に示すように、遠隔制御装置１０ｂは、制御部１００ｂ、ＲＯＭ１０２ｂ、ＲＡＭ１０３、振動部２０２、Ｉｒ通信部３０１、音声処理部１０８、スピーカー１０９、入力処理部１１０、操作入力部１１１、操作部照明２０８を備える。同図において図２および図９の各部に対応する部分には同一の符号（１０３、１０８〜１１１、２０２、２０８）を付け、その説明を省略する。制御部１００ｂは、ＣＰＵを有し、遠隔制御装置１０ｂ全体を制御する。ＲＯＭ１０２ｂは、制御部１００ｂが読み込んで実行するプログラム、および、プログラムを実行する際に用いるデータを記憶する。Ｉｒ通信部３０１は、赤外線を用いて、テレビジョン受像機１２と通信する。なお、本実施形態では、赤外線を用いるとして説明したが、電波などその他の無線通信手段であってもよい。
【００５８】
図１５は、制御部１００ｂとＲＯＭ１０２ｂとＲＡＭ１０３とにより実現される機能ブロックの概略構成を示す図である。制御部１００ｂとＲＯＭ１０２ｂとＲＡＭ１０３とは、制御部１００ｂが、ＲＯＭ１０２ｂが記憶しているプログラムを読出し、ＲＡＭ１０３をワーキングメモリとして、読み出したプログラムを実行することで、図１５の破線Ｌ３で囲われている各機能ブロック（番組情報取得部１２１ｂ、関連度算出部１２２、番組情報記憶部１２３、放送番組選択部１２４ｂ、選択可能番組通知部（選局可報知部）１２５ａ）を実現する。同図において図１０の各部に対応する部分には同一の符号（１２１〜１２３、１２５ａ）を付け、その説明を省略する。
【００５９】
番組情報取得部１２１ｂは、図１０の番組情報取得部１２１とは、番組情報を、Ｉｒ通信部３０１を介してテレビジョン受像機１２から取得する点のみが異なる。放送番組選択部１２４ｂは、図１０の放送番組選択部１２４ａとは、選択したチャンネルを示す信号を、Ｉｒ通信部３０１を介してテレビジョン受像機１２に送信することで、受信するチャンネルを指示する点のみが異なる。
【００６０】
図１６、図１７は、本実施形態における遠隔制御装置１０ｂの動作を説明するフローチャートである。図１１、図１２のフローチャートは、遠隔制御装置１０ｂの電源が入れられると開始する処理のフローチャートである。同図において図６、図７の各部に対応する部分には同一の符号（Ｓａ２、Ｓａ４〜１０、Ｓａ１２、Ｓａ１３、Ｓａ１５、Ｓａ１６、Ｓｂ１、Ｓｂ２）を付け、その説明を省略する。
【００６１】
ステップＳｃ１は、図１１におけるステップＳａ１に替えて挿入されているステップである。このステップＳｃ１では、電源ボタンが押されると、入力処理部１１０を介して、これを制御部１０ｂが検出し、Ｉｒ通信部３０１に電源ＯＮの信号を送信させる。この電源ＯＮの信号を受信したテレビジョン受像機１２は、電源を入れて、放送波の受信、映像の表示などを開始する。
【００６２】
ステップＳｃ３は、図１１におけるステップＳａ３に替えて挿入されているステップである。このステップＳｃ３では、放送番組選択部１２４ｂからの指示を受けて番組情報取得部１２１ｂが、Ｉｒ通信部３０１を介して、テレビジョン受像機１２が保持する電子番組表用のデータを取得する。
ステップＳｃ１１は、図１２におけるステップＳａ１１に替えて挿入されているステップである。このステップＳｃ１１では、放送番組選択部１２４ｂは、チャンネル選局信号で指定されたチャネルを示す信号をＩｒ通信部３０１に送信させ、該チャンネルの受信をテレビジョン受像機１２に指示する。
【００６３】
ステップＳｃ１４は、図１２におけるステップＳａ１４に替えて挿入されているステップである。このステップＳｃ１４では、放送番組選択部１２４ｂは、選局テーブルを参照し、受信フラグが設定されているチャンネルからチャンネル番号順にお勧めフラグを確認し、最初に「１」に設定されているチャンネルを示す信号をＩｒ通信部３０１に送信させ、該チャンネルの受信をテレビジョン受像機１２に指示する。
ステップＳｃ１７は、図１２におけるステップＳａ１７に替えて挿入されているステップである。このステップＳｃ１７では、放送番組選択部１２４ｂは、選局テーブルを参照し、基準局フラグが設定されているチャンネルを示す信号をＩｒ通信部３０１に送信させ、該チャンネルの受信をテレビジョン受像機１２に指示する。
【００６４】
なお、本実施形態では、選択可能番組通知部１２５ａは、選局可能なチャンネルに対応するボタンの操作部照明２０８を点灯させるとして説明したが、遠隔制御装置１０ｂが、液晶パネルなどの表示部を備え、選択可能なチャンネルを該表示部に表示させるようにしてもよい。図１８は、同実施形態の変形例における選択可能なチャンネルの表示例を示す図である。図１８（ａ）の表示画像Ｇ１では、選択可能なチャンネルを表す「７ｃｈ」（符号Ｃ１）、「８ｃｈ」（符号Ｃ２）、「１０ｃｈ」（符号Ｃ３）を表示している。図１８（ｂ）の表示画像Ｇ２では、選択可能なチャンネルとその番組名を表す「７ｃｈ  特番」（符号Ｃ４）、「８ｃｈ  全国一斉！日本人雑学テ」（符号Ｃ５）、「１０ｃｈ  いきなり！やっちまった」（符号Ｃ６）を表示している。さらに、表示部の表面にタッチパネルを備え、チャンネルを表示している領域（図１８のＣ１〜Ｃ６）をユーザがタッチすると、該当するチャンネルのチャンネル選局ボタンが押されたものとして、放送番組選択部１２４ｂが処理するようにしてもよい。
【００６５】
このように、放送番組選択部１２４ｂは、ザッピング選局信号が押された後に、直接チャンネルを指定するチャンネル選局ボタンが押されたときは、お勧めフラグが設定されているときのみ、指定されたチャネルに変更し、チャンネル送りボタンが押されたときは、お勧めフラグが設定されているチャンネルに変更するので、ザッピング選局信号が押されたときに受信中の放送番組と関連度の高いチャンネルのみを受信するようになる。このため、チャンネル数が多くても、ザッピングにより、容易に興味のある番組を見つけることができる。
【００６６】
また、ステップＳｂ１にて、選択可能番組通知部１２５ａが、選局テーブルを参照して、お勧めフラグに「１」が設定されているチャンネルに対応するチャンネル選局ボタンの操作部照明２０８を点灯させるので、ユーザは、事前に選局可能なチャンネルを把握することができる。
また、ステップＳｂ２にて、放送番組選択部１２４ｂが、振動部２０２により筺体を振動させるので、ユーザは、選局不可能なチャンネルをチャンネル選局ボタンで指定したときに、テレビジョン受像機１２の表示内容に変化がなくても、選局不可能なチャンネルをチャンネル選局ボタンで指定したことを把握できる。
【００６７】
なお、本実施形態において、チャンネル送りボタンについては、順方向（チャンネル番号が大きくなる方向）のもののみを備えるとして説明したが、逆方向（チャンネル番号が小さくなる方向）のものも備えていてもよい。
また、本実施形態において、関連度は番組概要の説明文中から抽出した単語の数に基づき算出したが、その他の項目、例えば、出演者名などを用いて算出してもよい。
【００６８】
また、図３における番組情報取得部１２１、関連度算出部１２２、番組情報記憶部１２３、放送番組選択部１２４、および図１０における番組情報取得部１２１、関連度算出部１２２、番組情報記憶部１２３、放送番組選択部１２４ａ、選択可能番組通知部１２５ａ、および図１５における番組情報取得部１２１ｂ、関連度算出部１２２、番組情報記憶部１２３、放送番組選択部１２４ｂ、選択可能番組通知部１２５ａの機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７０】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７１】
本発明は、テレビジョン受像機、携帯電話装置、テレビジョン受像機の遠隔制御装置などの複数の放送番組の中から受信する放送番組を選択する装置に用いて好適であるが、これに限定されない。
【符号の説明】
【００７２】
１０…テレビジョン受像機
１０ａ…携帯電話装置
１０ｂ…遠隔制御装置
１００、１００ａ、１００ｂ…制御部
１０１、１０１ａ…ＴＶチューナ部
１０２、１０２ａ、１０２ｂ…ＲＯＭ
１０３…ＲＡＭ
１０４…ＬＡＮ制御部
１０５…Ｉｒ通信部
１０６、１０６ａ…表示処理部
１０７…表示装置
１０７ａ…メイン表示部
１０８、１０８ａ…音声処理部
１０９、１０９ａ…スピーカー
１１０…入力処理部
１１１、１１１ａ…操作入力部
１２１、１２１ｂ…番組情報取得部
１２２…関連度算出部
１２３…番組情報記憶部
１２４、１２４ａ、１２４ｂ…放送番組選択部
１２５ａ…選択可能番組通知部
２０１…ＴＶ用アンテナ
２０２…振動部
２０３…携帯網通信部
２０４…携帯網用アンテナ
２０６…サブ表示部
２０７…マイク
２０８…操作部照明
２０９…カメラ
２１０…撮像処理部
２１１…ＬＥＤライト
３０１…Ｉｒ通信部  
【図１】
2010278649.tif 000003
【図２】
2010278649.tif 000004
【図３】
2010278649.tif 000005
【図４】
2010278649.tif 000006
【図５】
2010278649.tif 000007
【図６】
2010278649.tif 000008
【図７】
2010278649.tif 000009
【図８】
2010278649.tif 000010
【図９】
2010278649.tif 000011
【図１０】
2010278649.tif 000012
【図１１】
2010278649.tif 000013
【図１２】
2010278649.tif 000014
【図１３】
2010278649.tif 000015
【図１４】
2010278649.tif 000016
【図１５】
2010278649.tif 000017
【図１６】
2010278649.tif 000018
【図１７】
2010278649.tif 000019
【図１８】
2010278649.tif 000020